(57)【要約】【課題】上方に抜け出るのを防止できるコーナー用床見切材を提供する。【解決手段】床材としての畳体３，・・・と床材としてのフローリング４との間に設けて境界部を形成する床見切材２，２のコーナー部に用いられるコーナー用床見切材１であって、コーナー用床見切材本体１Ａの側方へ突出し、床見切材２の端部に設けられ、側方へ開口した嵌合部としてのカバー材２２の嵌合突起２２３に形成された中空部２２３ａに嵌め込まれる嵌合突部１３，１３が形成された構成とされている。【選択図】図３
2015081489.tif 000002
【特許請求の範囲】
【請求項１】
床材間に設けて境界部を形成する床見切材のコーナー部に用いられるコーナー用床見切材であって、
コーナー用床見切材本体の側方へ突出し、前記床見切材の端部に設けられ、側方へ開口した嵌合部に嵌め込まれる嵌合突部が形成されていることを特徴とするコーナー用床見切材。
【請求項２】
前記嵌合突部は、略直交する少なくとも二辺に設けられた前記床見切材に対応する前記コーナー用床見切材本体の側面にそれぞれ形成されていることを特徴とする請求項１に記載のコーナー用床見切材。
【請求項３】
前記嵌合突部は、前記コーナー用床見切材本体の脚部の側面に設けられていることを特徴とする請求項１又は２に記載のコーナー用床見切材。
【請求項４】
前記コーナー用床見切材本体の前記脚部は、断面略コ字形状に形成されていることを特徴とする請求項３に記載のコーナー用床見切材。
【請求項５】
前記コーナー用床見切材本体には、前記床見切材の端部上面を覆う覆部が形成されていることを特徴とする請求項１乃至４のいずれか１項に記載のコーナー用床見切材。
【請求項６】
請求項１乃至５のいずれか１項に記載のコーナー用床見切材を用いていることを特徴とする床材間の境界部構造。
【請求項７】
前記床見切材は、前記床材間の床下地材に固定される受け材と、該受け材の上面を覆うように取り付けられるカバー材とから成り、
前記受け材は、上側に前記カバー材を嵌合して取り付ける嵌合溝を有するとともに、
前記カバー材は、下側に前記受け材の前記嵌合溝に嵌合する嵌合突起を有し、
前記コーナー用床見切材の前記嵌合突部を嵌め込むための前記嵌合部は、前記カバー材の前記嵌合突起の側方端部が開口した中空部により形成されていることを特徴とする請求項６に記載の床材間の境界部構造。
【発明の詳細な説明】
【技術分野】
【０００１】
本発明は、畳体とフローリングとの間等の床材間に設けて境界部を形成する床見切材のコーナー部に用いられるコーナー用床見切材、及びこのコーナー用床見切材を用いた床材間の境界部構造に関するものである。
【背景技術】
【０００２】
従来から、畳体とフローリングとの間等の床材間に設けて境界部を見栄え良く略面一に形成する床見切材のコーナー部に用いられるコーナー用床見切材が知られている（例えば特許文献１等を参照）。このコーナー用床見切材は、床下地材に固定される受け材と、受け材に嵌合して固定されるカバー材とから成る床見切材間を、コーナー部で美麗に連続しているように見せるためのものである。
【先行技術文献】
【特許文献】
【０００３】
【特許文献１】特開２０１３−２２４５号公報
【発明の概要】
【発明が解決しようとする課題】
【０００４】
しかしながら、上記した特許文献１のような従来のコーナー用床見切材では、下側に形成された嵌合突起を、床見切材の受け材に設けられた嵌合溝に嵌合して取り付けられるが、嵌合突起と嵌合溝との嵌合される長さが短い故に結合力が弱く、例えば子供の悪戯などで比較的簡単に上方に抜け出てしまうおそれがあった。
【０００５】
そこで、本発明は、上方に抜け出るのを防止できるコーナー用床見切材、及びこのコーナー用床見切材を用いた床材間の境界部構造を提供することを目的としている。
【課題を解決するための手段】
【０００６】
前記目的を達成するために、本発明のコーナー用床見切材は、床材間に設けて境界部を形成する床見切材のコーナー部に用いられるコーナー用床見切材であって、コーナー用床見切材本体の側方へ突出し、前記床見切材の端部に設けられ、側方へ開口した嵌合部に嵌め込まれる嵌合突部が形成されていることを特徴とする。
【０００７】
ここで、前記嵌合突部は、略直交する少なくとも二辺に設けられた前記床見切材に対応する前記コーナー用床見切材本体の側面にそれぞれ形成されているとよい。
【０００８】
また、前記嵌合突部は、前記コーナー用床見切材本体の脚部の側面に設けられているとよい。
【０００９】
さらに、前記コーナー用床見切材本体の前記脚部は、断面略コ字形状に形成されているとよい。
【００１０】
また、前記コーナー用床見切材本体には、前記床見切材の端部上面を覆う覆部が形成されているとよい。
【００１１】
本発明の床材間の境界部構造は、上記した本発明のコーナー用床見切材を用いていることを特徴とする。
【００１２】
ここで、前記床見切材は、前記床材間の床下地材に固定される受け材と、該受け材の上面を覆うように取り付けられるカバー材とから成り、前記受け材は、上側に前記カバー材を嵌合して取り付ける嵌合溝を有するとともに、前記カバー材は、下側に前記受け材の前記嵌合溝に嵌合する嵌合突起を有し、前記コーナー用床見切材の前記嵌合突部を嵌め込むための前記嵌合部は、前記カバー材の前記嵌合突起の側方端部が開口した中空部により形成されているとよい。
【発明の効果】
【００１３】
このような本発明のコーナー用床見切材は、床材間に設けて境界部を形成する床見切材のコーナー部に用いられるコーナー用床見切材であって、コーナー用床見切材本体の側方へ突出し、床見切材の端部に設けられ、側方へ開口した嵌合部に嵌め込まれる嵌合突部が形成された構成とされている。
【００１４】
上記した構成なので、コーナー用床見切材は、嵌合突部で床見切材の端部の嵌合部に固定されるため、上方に抜け出るのを防止することができる。
【００１５】
ここで、嵌合突部は、略直交する少なくとも二辺に設けられた床見切材に対応するコーナー用床見切材本体の側面にそれぞれ形成されている場合は、コーナー用床見切材は、少なくとも２箇所で固定されるので、より確実に上方に抜け出るのを防止することができる。
【００１６】
また、嵌合突部は、コーナー用床見切材本体の脚部の側面に設けられている場合は、全体的に簡易な形状で強度の高いものとすることができる。
【００１７】
さらに、コーナー用床見切材本体の脚部は、断面略コ字形状に形成されている場合は、使用する材料が少なくて済み、より安価に実施することができる。
【００１８】
また、コーナー用床見切材本体には、床見切材の端部上面を覆う覆部が形成されている場合は、製造誤差や施工誤差等により生じてしまうコーナー用床見切材と床見切材との間の隙間を覆い隠すことができる。
【００１９】
このような本発明の床材間の境界部構造は、上記した本発明のコーナー用床見切材を用いた構成とされている。
【００２０】
上記した構成なので、上記した本発明のコーナー用床見切材の効果を奏する床材間の境界部構造とすることができる。
【００２１】
ここで、床見切材は、床材間の床下地材に固定される受け材と、受け材の上面を覆うように取り付けられるカバー材とから成り、受け材は、上側にカバー材を嵌合して取り付ける嵌合溝を有するとともに、カバー材は、下側に受け材の嵌合溝に嵌合する嵌合突起を有し、コーナー用床見切材の嵌合突部を嵌め込むための嵌合部は、カバー材の嵌合突起の側方端部が開口した中空部により形成されている場合は、床見切材の端部にコーナー用床見切材を仮止めした状態で床下地材上の設置する位置に移すだけの作業で完成するので、施工性が良い。
【図面の簡単な説明】
【００２２】
【図１】実施例の床材間の境界部構造の概略構成を平面視で示す説明図である。
【図２】図１のＡ−Ａ線矢視断面図であって、実施例の床材間の境界部構造の床見切材の詳細を示す説明図である。
【図３】図１のＢ−Ｂ線矢視断面図であって、実施例の床材間の境界部構造のコーナー部の詳細を示す説明図である。
【図４】実施例のコーナー用床見切材の詳細を平面視で示す説明図である。
【図５】図４のＣ−Ｃ線矢視図である。
【図６】図４のＤ−Ｄ線矢視図である。
【図７】図５のＥ−Ｅ線矢視断面図である。
【図８】実施例の床材間の境界部構造の施工方法を説明するための説明図である。
【図９】実施例の床材間の境界部構造の施工方法を説明するための説明図である。
【図１０】実施例の床材間の境界部構造の施工方法を説明するための説明図である。
【発明を実施するための形態】
【００２３】
以下、本発明を実施するための形態を、図面に示す実施例に基づいて説明する。
【実施例】
【００２４】
先ず、実施例の構成について説明する。
【００２５】
図１は、実施例の床材間の境界部構造の概略構成を平面視で示している。
【００２６】
先ず、この実施例の床見切材２は、２つの壁５，５のコーナー部に敷き詰められた床材としての畳体３，・・・と床材としてのフローリング４との間に設けて境界部を形成している。
【００２７】
より具体的には、この床見切材２は、図２に示したように、畳体３，・・・とフローリング４との間の床下地材６に固定される受け材２１と、この受け材２１の上面を覆うように取り付けられるカバー材２２とから成る。
【００２８】
ここで、受け材２１は、金属（アルミニウム）製であり、畳体３側の側面２１ａが畳体３の側面に圧接されるように設けられた状態で、畳体３，３間の目地との交差部に形成される隙間から見える高さを有している。
【００２９】
また、受け材２１は、フローリング４側の側面２１ｂとフローリング４の側面との間に若干の隙間が形成されており、施工誤差が吸収できるようになっている。
【００３０】
さらに、受け材２１は、上側にカバー材２２の後述する嵌合突起２２３を嵌合する嵌合溝２１１を有している。
【００３１】
また、受け材２１の嵌合溝２１１の底面には、受け材２１の下面まで貫通した締結部材挿通孔２１３，・・・が受け材２１の長手方向に沿って設けられている。
【００３２】
そして、嵌合溝２１１の上側から締結部材としてのビス７，・・・を挿入し、これらビス７，・・・を床下地材６まで締結することで、受け材２１は、畳体３，・・・とフローリング４との間に固定される。
【００３３】
さらに、カバー材２２は、樹脂製であり、長手方向に延びる本体部２２Ａを中心として、先端部が畳体３，・・・の側面に当接される畳体側庇状部２２１と、先端部がフローリング４の上面を覆うフローリング側庇状部２２２を有している。
【００３４】
また、カバー材２２は、本体部２２Ａの下側に、上述したように、受け材２１の嵌合溝２１１に嵌合する嵌合突起２２３を有している。
【００３５】
なお、嵌合突起２２３の外側面には凹部と凸部が設けられており、上述した嵌合溝２１１の内側面にも凹部と凸部が設けられており、嵌合状態で、両者の凹部と凸部とは噛み合わされる。
【００３６】
また、嵌合突起２２３は、下側と側方端部とが開口した中空部２２３ａを有している。
【００３７】
次に、この実施例のコーナー用床見切材１は、図１に示したように、畳体３，・・・とフローリング４との間に設けて境界部を形成する床見切材２，２のコーナー部に用いられている。
【００３８】
より具体的には、このコーナー用床見切材１は、図３〜図７に示したように、脚部１１を有するコーナー用床見切材本体１Ａから成る樹脂製の一体成形品である。
【００３９】
ここで、脚部１１の側面には、嵌合突部１３，１３が設けられており、これら嵌合突部１３，１３は、断面略十字形状であり、図３に示したように、床見切材２のカバー材２２の嵌合突起２２３に形成された中空部２２３ａを嵌合部としてそれぞれ嵌め込まれている。
【００４０】
また、コーナー用床見切材本体１Ａの上側には、図４〜図６に示したように、床見切材２の端部のカバー材２２の上面を覆う覆部１２，１２が形成されている。
【００４１】
さらに、脚部１１は、図７に示したように、断面略コ字形状に形成されている。
【００４２】
次に、実施例の床材間の境界部構造の施工方法について簡単に説明する。
【００４３】
先ず、図１及び図２に示したように、床見切材２，２を取り付ける。
【００４４】
そして、図８に示したように、床見切材２，２のカバー材２２，２２のコーナー部側の端部のみを持ち上げる。
【００４５】
なお、床見切材２，２の受け材２１，２１が樹脂等の比較的柔らかい材質である場合は、床見切材２，２のコーナー部側の端部全体を持ち上げてもよい。
【００４６】
この状態で、図９に示したように、嵌合部としての床見切材２のカバー材２２の嵌合突起２２３に形成された中空部２２３ａに、嵌合突部１３，１３を嵌め込み、コーナー用床見切材１を仮止めする。
【００４７】
そして、コーナー用床見切材１を、図１０に示したように、床下地材６上の設置する位置に移すと、実施例の床材間の境界部構造が完成する。
【００４８】
次に、実施例の作用効果について説明する。
【００４９】
このような実施例のコーナー用床見切材１は、床材としての畳体３，・・・と床材としてのフローリング４との間に設けて境界部を形成する床見切材２，２のコーナー部に用いられるコーナー用床見切材であって、コーナー用床見切材本体１Ａの側方へ突出し、床見切材２の端部に設けられ、側方へ開口した嵌合部としてのカバー材２２の嵌合突起２２３に形成された中空部２２３ａに嵌め込まれる嵌合突部１３，１３が形成された構成とされている。
【００５０】
上記した構成なので、コーナー用床見切材１は、嵌合突部１３，１３で床見切材２，２の端部の嵌合部としてのカバー材２２の嵌合突起２２３に形成された中空部２２３ａに固定されるため、上方に抜け出るのを防止することができる。
【００５１】
ここで、嵌合突部１３は、略直交する二辺に設けられた床見切材２，２に対応するコーナー用床見切材本体１Ａの側面にそれぞれ形成されている。
【００５２】
このため、コーナー用床見切材１は、２箇所で固定されるので、より確実に上方に抜け出るのを防止することができる。
【００５３】
また、嵌合突部１３，１３は、コーナー用床見切材本体１Ａの脚部１１の側面に設けられている。
【００５４】
このため、全体的に簡易な形状で強度の高いものとすることができる。
【００５５】
さらに、コーナー用床見切材本体１Ａの脚部１１は、断面略コ字形状に形成されている。
【００５６】
このため、使用する材料が少なくて済み、より安価に実施することができる。
【００５７】
また、コーナー用床見切材本体１Ａには、床見切材２，２のカバー材２２の端部上面を覆う覆部１２，１２が形成されている。
【００５８】
このため、製造誤差や施工誤差等により生じてしまうコーナー用床見切材１と床見切材２，２との間の隙間を覆い隠すことができる。
【００５９】
このような実施例の床材間の境界部構造は、上記した実施例のコーナー用床見切材１を用いた構成とされている。
【００６０】
上記した構成なので、上記した実施例のコーナー用床見切材１の作用効果を奏する床材間の境界部構造とすることができる。
【００６１】
ここで、床見切材２は、畳体３，・・・とフローリング４との間の床下地材６に固定される受け材２１と、受け材２１の上面を覆うように取り付けられるカバー材２２とから成り、受け材２１は、上側にカバー材２２を嵌合して取り付ける嵌合溝２１１を有するとともに、カバー材２２は、下側に受け材２１の嵌合溝２１１に嵌合する嵌合突起２２３を有し、コーナー用床見切材１の嵌合突部１３を嵌め込むための嵌合部は、カバー材２２の嵌合突起２２３の側方端部が開口した中空部２２３ａにより形成されている。
【００６２】
このため、床見切材２，２の端部にコーナー用床見切材１を仮止めした状態で床下地材６上の設置する位置に移すだけの作業で完成するので、施工性が良い。
【００６３】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６４】
例えば、上記した実施例では、受け材２１のフローリング４側の側面２１ｂとフローリング４の側面との間に隙間を設けて実施したが、これに限定されず、隙間が無いようにして実施してもよい。
【００６５】
また、上記した実施例では、コーナー用床見切材１を樹脂製の一体成形品として実施したが、これに限定されず、金属などの他の材料で実施してもよいし、部分毎を別個に製造して組み立てた複合部材として実施してもよい。
【００６６】
さらに、上記した実施例では、床見切材２として、受け材２１とカバー材２２とから成るものを用いて実施したが、これに限定されず、一体物を用いて実施してもよい。
【００６７】
また、上記した実施例では、床見切材２が境界部を形成する床材を、畳体３，・・・とフローリング４とにしたが、これに限定されず、いずれか一方をカーペットとしたり、同じ種類の床材同士間としたりして実施してもよい。
【００６８】
さらに、上記した実施例では、嵌合突部１３を、略直交する二辺に設けられた床見切材２，２に対応するコーナー用床見切材本体１Ａの側面にそれぞれ形成して実施したが、これに限定されず、嵌合突部１３を、三辺や四辺に設けられた床見切材２に対応するコーナー用床見切材本体１Ａの側面にそれぞれ形成して実施してもよいし、直交しないようにして実施してもよい。
【符号の説明】
【００６９】
１        コーナー用床見切材
１Ａ      コーナー用床見切材本体
１１      脚部
１２      覆部
１３      嵌合突部
２        床見切材
２１      受け材
２１ａ    受け材の畳体側の側面
２１ｂ    受け材の床材側の側面
２１１    嵌合溝
２１３    締結部材挿通孔
２２      カバー材
２２Ａ    カバー材の本体部
２２１    畳体側庇状部
２２２    フローリング側庇状部
２２３    嵌合突起
２２３ａ  中空部（嵌合部）
３        畳体（床材）
４        フローリング（床材）
５        壁
６        床下地材
７        ビス（締結部材）
【図１】
2015081489.tif 000003
【図２】
2015081489.tif 000004
【図３】
2015081489.tif 000005
【図４】
2015081489.tif 000006
【図５】
2015081489.tif 000007
【図６】
2015081489.tif 000008
【図７】
2015081489.tif 000009
【図８】
2015081489.tif 000010
【図９】
2015081489.tif 000011
【図１０】
2015081489.tif 000012